(57)【要約】【課題】小型化を図りつつ操作性を向上させることができるドロワ装置を提供する。【解決手段】筐体９と、上方に開口し周囲を周壁で囲まれた収納空間４を有し、筐体９に対して出し入れされる引出し２と、収納空間４を仕切る仕切部材３とを備え、仕切部材３は、下端側を回動中心にして傾斜した傾斜姿勢から一端部分が周壁２３に沿って回動することで起立した起立姿勢に姿勢変化し、一端部分に接触片３２を有するものであり、周壁２３が、起立姿勢における仕切部材３の接触部３２に、係合または圧接する突起部２３１を有するものである。【選択図】図２
2016224682.tif 000002
【特許請求の範囲】
【請求項１】
筐体と、
上方に開口し周囲を周壁で囲まれた収納空間を有し、前記筐体に対して出し入れされる引出しと、
前記収納空間を仕切る仕切部材とを備え、
前記仕切部材は、下端側を回動中心にして傾斜した傾斜姿勢から一端部分が前記周壁に沿って回動することで起立した起立姿勢に姿勢変化し、該一端部分に接触部を有するものであり、
前記周壁が、前記起立姿勢における前記仕切部材の前記接触部に、係合または圧接する被接触部を有するものであることを特徴とするドロワ装置。
【請求項２】
前記接触部と前記被接触部のうちいずれか一方が、いずれか他方に圧接すると撓むスナップフィット構造を有するものであることを特徴とする請求項１記載のドロワ装置。
【請求項３】
前記仕切部材は、前記起立姿勢において上端から突出したガイド部が設けられたものであり、
前記筐体は、前記仕切部材が前記起立姿勢の状態で前記引出しが出し入れされると前記ガイド部が摺動する摺動領域を有するものであり、
前記摺動領域は、平坦な領域であることを特徴とする請求項１または２記載のドロワ装置。
【請求項４】
前記筐体が、前記引出しが出し入れされる開口を有するものであり、
前記摺動領域は、前記開口側に設けられた手前側部材と該手前側部材に隣接した奥側部材とを含む複数の部材で構成され、該手前側部材と該奥側部材との間に継ぎ目が存在したものであり、
前記奥側部材は、前記手前側部材よりも下方に配置されたものであり、
前記継ぎ目は、間隔が、前記ガイド部の厚みよりも狭いものであることを特徴とする請求項３記載のドロワ装置。
【請求項５】
前記筐体が、前記引出しが前後方向に出し入れされる前端開口と、該前端開口よりも後ろ側の天面に設けられ前後方向に延在した摺動領域とを有するものであり、
前記仕切部材は、前方側に傾斜した前記傾斜姿勢から後方側に向けて回動することで前記起立姿勢に姿勢変化し、該起立姿勢の状態で前記引出しが出し入れされると前記摺動領域を摺動する、上端から突出したガイド部が設けられたものであり、
前記摺動領域は、平坦な領域であることを特徴とする請求項１または２記載のドロワ装置。
【請求項６】
前記ガイド部は、突出方向先端部分が曲面で形成されたものであることを特徴とする請求項３から５のうちいずれか１項記載のドロワ装置。
【請求項７】
前記引出しが、前記筐体に対して前後方向に出し入れされるものであり、
前記仕切部材は、前後方向に複数並べられて設けられ、前方側に傾斜した前記傾斜姿勢から後方側に向けて回動することで前記起立姿勢に姿勢変化するものであり、
前記仕切部材のうち最も後ろ側に位置する仕切部材と前記周壁のうちの後端壁との間に収納された紙幣の下縁が持ち上がるように該紙幣がめくれ上がった場合の該下縁の軌跡上に位置する阻止部を備えたことを特徴とする請求項１または２記載のドロワ装置。
【発明の詳細な説明】
【技術分野】
【０００１】
本発明は、収納空間を有する引出しを備えたドロワ装置に関する。
【背景技術】
【０００２】
従来、ＰＯＳシステムやキャッシュレジスタ等にはドロワ装置が用いられる。このドロワ装置は、筐体と、この筐体に出し入れされる引出しとを備えたものである。引出しは、紙幣や硬貨等を収納する収納空間を有する。収納空間は、トレイや仕切板、仕切壁等の仕切部材によって大きくは、紙幣を収納する紙幣収納部と、硬貨を収納する硬貨収納部に仕切られている。そして、紙幣収納部と硬貨収納部それぞれも仕切部材によってさらに仕切られており、紙幣や硬貨を種類別に分けて収納できる収納区域が複数設けられている。ここで、紙幣収納部の収納区域は、紙幣の出し入れのし易さ等を考慮して紙幣が平置き状態で収納される形態が多い（例えば、特許文献１等参照）。
【０００３】
特許文献１記載のドロワ装置における紙幣収納部は、装置の前後方向（奥行き方向）に延在した仕切部材によって仕切られ、装置の左右方向（幅方向）に並んだ複数の収納区域が設けられている。この収納区域には、紙幣の長手方向を装置の前後方向に揃えた向きで紙幣が平置きされる。特許文献１記載のドロワ装置によれば、平置きされた紙幣の上方が開放されているため、紙幣の出し入れが容易になる。一方、収納区域それぞれは、その大きさが紙幣の外形よりも一回り大きくなるため、複数の収納区域によって構成される紙幣収納部には広い領域が必要になり、ドロワ装置が大型化しやすい。このため、ドロワ装置の小型化が要求される場合には、紙幣を傾斜した姿勢で収納区域に収納できる紙幣収納部を設け、これによって紙幣収納部が占める領域をコンパクトに抑えたドロワ装置が用いられる場合がある（例えば、特許文献２等参照）。
【０００４】
特許文献２に記載されたドロワ装置では、前方側に傾斜した傾斜姿勢の仕切部材を、所定の間隔をあけて装置の前後方向に並べて配置することで収納区域を形成し、紙幣の長辺の一方が斜め上方を向いた姿勢で紙幣を仕切部材に重ね合わすようにして収容する態様を採用している。こうすることで、特許文献１記載のドロワ装置に比べ、紙幣収納部が占める領域が小さくなり、その分ドロワ装置の小型化を図ることが可能になる。
【０００５】
特許文献２に記載されたドロワ装置では、傾斜姿勢の仕切部材どうしの間が収納区域になるため、傾斜姿勢の仕切部材どうしの間隔を広げれば、紙幣をたくさん収納することができる。そのため、仕切部材どうしの間隔を広くしておくことが考えられるが、仕切部材どうしの間隔を広くすればするほど、仕切部材を並べた方向（特許文献２では前後方向）の長さが長くなってしまう。そこで、下端側を回動中心にして回動可能な仕切部材によって紙幣収納部を仕切る態様が採用されることがある。この態様によれば、傾斜姿勢の仕切部材どうしの間隔を狭く抑えておきながら、仕切部材を回動させて起立姿勢にすることで収納区域を拡大することができる。
【先行技術文献】
【特許文献】
【０００６】
【特許文献１】特開平１１−１７５８４８号公報
【特許文献２】実開平０７−１６２８５号公報
【発明の概要】
【発明が解決しようとする課題】
【０００７】
しかしながら、回動可能な仕切部材を用いる態様では、起立姿勢の仕切部材を片手で支えながら、もう一方の手で紙幣を出し入れしなければならない等、操作性の点で改良の余地がある。
【０００８】
本発明は上記事情に鑑み、小型化を図りつつ操作性を向上させたドロワ装置を提供することを目的とする。
【課題を解決するための手段】
【０００９】
上記目的を解決する本発明のドロワ装置は、
筐体と、
上方に開口し周囲を周壁で囲まれた収納空間を有し、前記筐体に対して出し入れされる引出しと、
前記収納空間を仕切る仕切部材とを備え、
前記仕切部材は、下端側を回動中心にして傾斜した傾斜姿勢から一端部分が前記周壁に沿って回動することで起立した起立姿勢に姿勢変化し、該一端部分に接触部を有するものであり、
前記周壁が、前記起立姿勢における前記仕切部材の前記接触部に、係合または圧接する被接触部を有するものであることを特徴とする。
【００１０】
ここで、前記仕切部材の回動方向は、前後方向であってもよいし左右方向であってもよく、何ら限定されない。また、前記仕切部材は、前後方向に複数並べられたものであってもよく、左右方向に複数並べられたものであってもよい。さらに、前記仕切部材は、他端部分も前記周壁に沿って回動するものであってもよく、該他端部分にも前記接触部が設けられていてもよい。また、前記被接触部は、前記仕切部材が、前記傾斜姿勢から前記起立姿勢まで回動する際に、前記接触部に圧接した後に該接触部と係合するものであってもよい。
【００１１】
本発明のドロワ装置によれば、前記傾斜姿勢における前記仕切部材に紙幣を重ね合わすように収容することができ、これによって紙幣をコンパクトに収納することができる。また、前記仕切部材を前記起立姿勢に姿勢変化させることで紙幣を出し入れするために必要な空間を生じさせることができる。これにより、傾斜姿勢の仕切部材どうしの間隔を狭く抑えておくことができ、ドロワ装置が小型化される。さらに、前記仕切部材を前記起立姿勢に姿勢変化させると前記接触部が前記被接触部に係合または圧接し、該仕切部材が該起立姿勢に保たれる。これにより、一方の手で前記仕切部材を前記起立姿勢に支える必要がなくなり、紙幣を出し入れする際の操作性が向上する。
【００１２】
また、前記傾斜姿勢は、傾斜角度が一つに定まる姿勢ではなく、所定の範囲（例えば、３０度以上７０度未満）内に収まる姿勢であればよい。また、前記起立姿勢は、９０度まで起立した姿勢の他、７０度程度しか起立していない姿勢であってもよいし、９０度を超えて起立した姿勢であってもよい。すなわち、前記起立姿勢は、起立角度が一つに定まる姿勢ではなく、紙幣を出し入れするために必要な空間を生じさせることができる所定の範囲（例えば、７０度以上１０５度未満）内に収まる姿勢であればよい。
【００１３】
また、本発明のドロワ装置において、前記接触部と前記被接触部のうちいずれか一方が、いずれか他方に圧接すると撓むスナップフィット構造を有するものであってもよい。
【００１４】
こうすることで、前記接触部と前記被接触部とが圧接または係合する際の負荷が安定し、また、該接触部と該被接触部の劣化を防止することができ好ましい。
【００１５】
さらに、本発明のドロワ装置において、前記仕切部材は、前記起立姿勢において上端から突出したガイド部が設けられたものであり、
前記筐体は、前記仕切部材が前記起立姿勢の状態で前記引出しが出し入れされると前記ガイド部が摺動する摺動領域を有するものであり、
前記摺動領域は、平坦な領域であることが好ましい。
【００１６】
前記ガイド部が摺動する前記摺動領域を平坦な領域とすることで、前記仕切部材と前記筐体との引っ掛かりを抑えて前記引出しを円滑に出し入れすることができる。
【００１７】
ここで、前記引出しは、前後方向に出し入れされるものであってもよいし、扉式に開閉するものであってもよい。
【００１８】
また、本発明のドロワ装置において、前記筐体が、前記引出しが出し入れされる開口を有するものであり、
前記摺動領域は、前記開口側に設けられた手前側部材と該手前側部材に隣接した奥側部材とを含む複数の部材で構成され、該手前側部材と該奥側部材との間に継ぎ目が存在したものであり、
前記奥側部材は、前記手前側部材よりも下方に配置されたものであり、
前記継ぎ目は、間隔が、前記ガイド部の厚みよりも狭いものであってもよい。
【００１９】
ここで、前記奥側部材が前記手前側部材よりも上方に配置されていると、該手前側部材に前記仕切部材が引っ掛かってしまう虞がある。そこで、前記奥側部材が、前記手前側部材よりも下方に配置された態様を採用することで、該手前側部材に前記仕切部材が引っ掛かってしまう虞を回避することができる。また、前記継ぎ目の間隔が前記ガイド部の厚みより広いと、該ガイド部が継ぎ目の間隔へ挟まってしまう虞がある。そこで、前記継ぎ目は、間隔が、前記ガイド部の厚みよりも狭いものとすることで、該ガイド部が該継ぎ目の間隔へ挟まってしまう虞を回避することができる。
【００２０】
さらに、本発明のドロワ装置において、前記筐体が、前記引出しが前後方向に出し入れされる前端開口と、該前端開口よりも後ろ側の天面に設けられ前後方向に延在した摺動領域とを有するものであり、
前記仕切部材は、前方側に傾斜した前記傾斜姿勢から後方側に向けて回動することで前記起立姿勢に姿勢変化し、該起立姿勢の状態で前記引出しが出し入れされると前記摺動領域を摺動する、上端から突出したガイド部が設けられたものであり、
前記摺動領域は、平坦な領域であることが好ましい。
【００２１】
ここで、前記摺動領域は、前記前端開口から後方に向かって延在したものであってもよいし、前記前端開口から後ろ側に間隔をあけて後方に向かって延在したものであってもよい。
【００２２】
前記仕切部材は、前方側に傾斜した前記傾斜姿勢から後方側に向けて回動することで前記起立姿勢に姿勢変化するものである。このため、前記仕切部材の傾斜角度が大きくなって前記仕切部材の上端部分が前記前端開口の上端部分より上方に位置していても、前記引出しを前記筐体に押し込めば該仕切部材は該前端開口の上端部分に押されて前方側に倒れることで該引出しを該筐体に収容することができる。また、前記仕切部材に前記ガイド部を設け前記天面に摺動する部分を該ガイド部に特定することで前記摺動領域が限定され、該摺動領域を平坦な領域にすることで、該仕切部材と前記筐体との引っ掛かりを抑えて前記引出しを円滑に出し入れすることができる。
【００２３】
ここで、前記筐体は、前記前端開口を画定する前端開口画定部材と、前記天面を形成する天面形成部材とを含むものであってもよく、天面形成部材は一又は複数の部材からなるものであってもよい。また、例えば、前記前端開口画定部材の後ろ側部分は前記手前側部材の一例に相当し、前記天面形成部材の前側部分は前記奥側部材の一例に相当してもよい。
【００２４】
また、前記ガイド部は、突出方向先端部分が曲面で形成されたものであってもよい。
【００２５】
こうすることで、前記ガイド部と前記摺動領域との摺動負荷を軽減することができる。
【００２６】
さらに、本発明のドロワ装置において、前記引出しが、前記筐体に対して前後方向に出し入れされるものであり、
前記仕切部材は、前後方向に複数並べられて設けられ、前方側に傾斜した前記傾斜姿勢から後方側に向けて回動することで前記起立姿勢に姿勢変化するものであり、
前記仕切部材のうち最も後ろ側に位置する仕切部材と前記周壁のうちの後端壁との間に収納された紙幣の下縁が持ち上がるように該紙幣がめくれ上がった場合の該下縁の軌跡上に位置する阻止部を備えたものであることが好ましい。
【発明の効果】
【００２７】
本発明のドロワ装置によれば、小型化を図りつつ操作性を向上させることができる。
【図面の簡単な説明】
【００２８】
【図１】（ａ）は、ドロワ装置を左斜め上方から見た斜視図であり、（ｂ）は、（ａ）の平面図である。
【図２】図１（ｂ）に示すドロワ装置のＡ−Ａ断面図である。
【図３】（ａ）は、図１および図２に示す傾斜姿勢の仕切部材を紙幣収納部から取り出し、傾斜姿勢の状態で右斜め後方から見た斜視図である。（ｂ）は、（ａ）に示す仕切部材における、左側に位置する接触片の上側部分とこの周囲の仕切部材本体の一部を拡大して示す拡大図である。
【図４】複数の仕切部材を回動させる様子を示す図である。
【図５】仕切部材の姿勢、および仕切部材が回動する状態を説明するための概念図である。
【図６】阻止部を備えていないドロワ装置の内部構造を示す図である。
【図７】阻止部を備えたドロワ装置の内部構造を示す図である。
【図８】図２に示すドロワ装置のＢ−Ｂ断面図である。
【図９】図３（ａ）に示す仕切部材の変形例を示す斜視図である。
【発明を実施するための形態】
【００２９】
以下、図面を参照して本発明の実施の形態を説明する。本発明の一実施形態であるドロワ装置は、ＰＯＳシステム等のキャッシュドロワや、キャッシュレジスタに搭載されたキャッシュドロワ、あるいはプリンタと一体化されたキャッシュドロワ等に採用されるものである。本実施形態では、プリンタと一体化された態様を例に挙げて説明する。
【００３０】
図１（ａ）は、ドロワ装置１を左斜め上方から見た斜視図であり、同図（ｂ）は、同図（ａ）の平面図である。図２は、図１（ｂ）に示すドロワ装置１のＡ−Ａ断面図である。
【００３１】
図１および図２に示すように、ドロワ装置１は、筐体９と、この筐体９に対し出し入れされる引出し２を備えている。図１（ａ）に示すように、筐体９の前側には、引出し２の出し入れ口となる前端開口９ａが形成され、この前端開口９ａの左側はプリンタカバー９１で覆われている。プリンタカバー９１の後側には不図示のプリンタが内蔵されている。図１および図２では、引出し２が筐体９から前方に引き出された状態を示しており、以下、前方に引き出された状態の引出し２の位置を引出し位置と称することがある。引出し２は、引出し位置から後方に押込まれると、引出し２のアーム部２６（図２参照）が有する不図示のレール受けが筐体９のレール９３（図２参照）に案内されながら後方に移動し、これによって引出し２は筐体９内に収容される。以下、引出し２が筐体９内に収容された位置を収容位置と称することがある。本実施形態では、引出し２は、筐体９に対して前後方向（筐体９の奥行き方向）に出し入れされるものであり、図１（ａ）では左斜め上方と右斜め下方とを結ぶ方向が前後方向になり、図１（ｂ）および図２では、図の左右方向がドロワ装置１の前後方向に相当する。また、以下の説明では、ドロワ装置１を前方から見て右と左を使い分け、前後方向に直交する方向を左右方向（幅方向）と称することがある。
【００３２】
図１（ａ）に示すように、引出し２は、前側に配置された前壁２１、後側に配置された後壁２２、および左右両側それぞれに配置された一対の側壁２３からなる周壁２０を備え、上方に開口し周壁２０によって囲まれた収納空間４を有している。一対の側壁２３は、対向する一対の対向壁である。なお、収納空間４の底側は、底板２４によって画定されている。図１および図２に示すように、収納空間４の前側には、硬貨用トレイ５が配置され、この硬貨用トレイ５によって収納空間４の前側の略半分に硬貨収納部４２が設けられている。硬貨用トレイ５は、格子状に配置された仕切壁５１を有しており、この仕切壁５１によって仕切られることで収納区域が複数形成されている。これら複数の収納区域には、硬貨を種類別に収納することができる。収納空間４における、硬貨収納部４２よりも後方の略半分には紙幣収納部４１が形成されている。
【００３３】
図２に示すように、側壁２３における紙幣収納部４１側の部分には、前後方向に所定の間隔をあけて設けられた複数の突起部２３１が設けられている。図１（ａ）に円で囲んで拡大して示すように、これら複数の突起部２３１それぞれは、側壁２３から突出した突起である。詳しくは後述するように、この突起部２３１は、仕切部材３の接触片３２に圧接し、また仕切部材３の接触片３２と係合する部分であり、被係合部に相当する。なお、本実施形態では図示していないが、他方（左側）の側壁２３にも同様に突起部２３１が設けられている。また、図１（ａ）および図２に示すように、側壁２３における紙幣収納部４１側の部分には、複数の回動規制孔２３２が形成されている。これら回動規制孔２３２は、詳しくは後述するように、仕切部材３の規制片３３が挿通される孔であり、一対の側壁２３それぞれにおいて底板２４に沿って前後方向に並べて形成されている。
【００３４】
紙幣収納部４１には仕切部材３が設けられており、本実施形態では４つの仕切部材３が前後方向に４つ並べて設けられている。図１および図２では、前側に傾斜した傾斜姿勢の仕切部材３を示している。これら仕切部材３は、図２に示す、下端側に設けられた回動基部３１１を回動中心にして回動自在なものであり、図１および図２に示す傾斜姿勢から後方に向けて回動させることができる。以下、これら４つの仕切部材３を区別して説明する必要がある場合には、最も後側に配置された仕切部材３から最も前側に配置された仕切部材３にかけて順番に、第１仕切部材３ａ、第２仕切部材３ｂ、第３仕切部材３ｃ、第４仕切部材３ｄと称することがある。これら４つの仕切部材３によって、紙幣収納部４１は複数の収納区域に仕切られている。具体的には、図２に示すように、後壁２２と第１仕切部材３ａとの間には第１収納区域４１ａが形成され、第１仕切部材３ａと第２仕切部材３ｂとの間には第２収納区域４１ｂが形成され、第２仕切部材３ｂと第３仕切部材３ｃとの間には第３収納区域４１ｃが形成され、第３仕切部材３ｃと第４仕切部材３ｄとの間には第４収納区域４１ｄが形成されている。これら複数の収納区域４１ａ〜４１ｄには、種類別に分けて紙幣を収納することができる。また、これら複数の収納区域４１ａ〜４１ｄには、傾斜姿勢における仕切部材３に紙幣を重ね合わすように収容することができ、これによって紙幣をコンパクトに収納することができる。ここで、図２に示すように、全ての仕切部材３が傾斜姿勢の状態では、第１収納区域４１ａが大きく開放されているため、この第１収納区域４１ａに紙幣を収納する、あるいは第１収納区域４１ａから紙幣を取り出す操作が容易になる。なお、第１収納区域４１ａには、紙幣に代えて、硬貨を棒状に包装した、いわゆる棒金を収納してもよい。
【００３５】
図１（ａ）に示すように、後壁２２には、その左右方向両側それぞれに阻止部２５が設けられている。図２に示すように、阻止部２５は、下端側から上方に向けて前方に傾斜した傾斜壁２５１を有している。阻止部２５の作用の詳細は後述する。
【００３６】
図３を用いて仕切部材３を詳細に説明する。図３（ａ）は、図１および図２に示す傾斜姿勢の仕切部材３を紙幣収納部４１から取り出し、傾斜姿勢の状態で右斜め後方から見た斜視図である。この図３（ａ）では、左斜め上方と右斜め下方を結ぶ方向が、図１および図２における左右方向に相当する。また、左斜め下側が後側に相当し、右斜め上側が前側に相当する。
【００３７】
図３（ａ）に示すように、仕切部材３は、板状の仕切部材本体３１、接触片３２、規制片３３を有している。仕切部材本体３１は、図３（ａ）における下端側部分において、左右方向に延在した回動基部３１１を有し、図３（ａ）における上端側部分において、仕切部材３の左右方向に延在した一対の折曲縁部３１２を有している。前述したように、回動基部３１１は、引出し２の底板２４上において仕切部材３の回動中心になる部分である。一対の折曲縁部３１２は、左右方向両端側部分にそれぞれ設けられ、一対の折曲縁部３１２の間には、一対のガイド部３１３と半円状に切欠かれた切欠部３１４が形成されている。切欠部３１４は、主として、収納区域に収納された複数の紙幣をまとめて掴んで取り出す場合を考慮して形成されている。
【００３８】
折曲縁部３１２とガイド部３１３は、仕切部材３が回動する際の回動端になる部分である。また、折曲縁部３１２は、仕切部材本体３１に対して後側に向けて折曲した縁である。一対のガイド部３１３は、一対の折曲縁部３１２それぞれの切欠部３１４側に設けられている。図３（ａ）において円で囲んで拡大して示すように、ガイド部３１３は、左右方向に見て円弧状の曲面で形成された突出した部分であり、ガイド部３１３の前後方向の長さが、ガイド部３１３の厚みに相当する。
【００３９】
接触片３２は、仕切部材本体３１の左右方向両端部それぞれに設けられている。接触片３２は、仕切部材本体３１に沿って延在するものであり、その下側部分が仕切部材本体３１と一体に形成され、その上側部分が仕切部材本体３１と分離している。
【００４０】
図３（ｂ）は、同図（ａ）に示す仕切部材３における、左側に位置する接触片３２の上側部分とこの周囲の仕切部材本体３１の一部を拡大して示す拡大図である。図３（ｂ）では、図における左右方向と説明に用いる左右方向が一致している。
【００４１】
図３（ｂ）に示すように、接触片３２の上部側部分における仕切部材本体３１とは反対側の面には、圧接面３２１が形成されている。この圧接面３２１は、詳しくは後述するように、側壁２３に設けられた突起部２３１（図２等参照）に圧接する面である。すなわち、接触片３２は、接触部に相当する。また、本実施形態では、仕切部材本体３１は、接触片３２の上部側部分と対向する部分が切り欠かれ、これによって、接触片３２の上部側部分と仕切部材本体３１との間に隙間Ｓが生じている。このため、突起部２３１が圧接面３２１に圧接すると、図３（ｂ）において矢印で示すように、接触片３２の上部側部分が仕切部材本体３１に近づく方向に撓み、突起部２３１が圧接面３２１から離れると接触片３２の上部側部分が元の形状に復帰する。すなわち、本実施形態の接触片３２は、スナップフィット構造を有するものである。これにより、接触片３２と突起部２３１とが圧接する際の負荷が安定し、接触片３２と突起部２３１の劣化を防止することもできる。なお、本実施形態では、複数の仕切部材３のうち、第４仕切部材３ｄは、折曲縁部３１２を有していない等の点で、他の仕切部材３とは構造が異なるが、詳しい説明は省略する。
【００４２】
図３（ａ）に示すように、一対の接触片３２それぞれの下部側部分には、左右方向外側に突出した規制片３３が設けられている。この規制片３３も、仕切部材本体３１に沿って延在したものである。
【００４３】
図４は、複数の仕切部材３を回動させる様子を示す図である。図４では、図２に示す引出し２を取り出し、傾斜姿勢の仕切部材３を後側から順番に起立姿勢に回動させる様子を示している。また、紙幣収納部４１の収納区域４１ａ〜４１ｄそれぞれに複数の紙幣を収納し、収納した紙幣を破線で示している。なお、図２に示す引出し２のアーム部２６は省略している。
【００４４】
図４（ａ）は、図２に示す傾斜姿勢の第１仕切部材３ａを、起立姿勢まで回動させた状態を示している。具体的な操作は、傾斜姿勢の第１仕切部材３ａのガイド部３１３を指で後方に押していく。この操作により、第１仕切部材３ａにおける接触片３２が側壁２３に沿って回動し、接触片３２の圧接面３２１（図３（ｂ）参照）が、最も後側に設けられた突起部２３１と圧接した後、接触片３２が突起部２３１に係合することで第１仕切部材３ａが起立姿勢に維持される。なお、第１仕切部材３ａの接触片３２は、傾斜姿勢から起立姿勢に回動する際に、後側から２番目に設けられた突起部２３１に接触しない長さに設定されている。図４（ａ）に示す状態では、第１仕切部材３ａが起立姿勢に維持され、これにより第２収納区域４１ｂが大きく開放されて紙幣を出し入れするために必要な空間が生じている。本実施形態では、接触片３２が突起部２３１に係合した状態の仕切部材３の姿勢が起立姿勢の一例に相当する。
【００４５】
図４（ｂ）は、前述した第１仕切部材３ａと同様にして、第２仕切部材３ｂを傾斜姿勢から起立姿勢に回動させ、第３収納区域４１ｃを大きく開放した状態を示している。また、図４（ｃ）は、同様にして第３仕切部材３ｃを傾斜姿勢から起立姿勢に回動させ、第４収納区域４１ｄを大きく開放した状態を示している。これらのように、所定の仕切部材３を回動させることで所望の収納区域を開放して紙幣を出し入れするために必要な空間を生じさせることができ、その際に一方の手で仕切部材３を支える必要はないため、操作性が向上する。
【００４６】
図５は、仕切部材３の姿勢、および仕切部材３が回動する状態を説明するための概念図である。図５では、仕切部材３、突起部２３１および回動規制孔２３２を概念的に示しており、仕切部材３については、接触片３２を含む外形形状と規制片３３を一点鎖線で示している。
【００４７】
図５（ａ）は、傾斜姿勢の仕切部材３を示している。本実施形態では、回動規制孔２３２に挿通された規制片３３が、回動規制孔２３２を画定する前側縁部２３２１に当接することで回動が規制され、これにより傾斜姿勢が維持されている。傾斜姿勢の傾斜角度α１は、例えば４５度程度に設定されているが、この傾斜角度は、所定の範囲（例えば、３０度以上７０度未満）内に収まればよい。また、回動規制孔２３２の形状の変更等によって、所定の範囲で傾斜角度α１を調整することもできる。
【００４８】
図５（ｂ）は、仕切部材３を傾斜姿勢から回動させ、接触片３２と突起部２３１が圧接している状態を示している。この状態では、仕切部材３は、その角度α２が７０度〜７５度程度まで起立している。このように、接触部としての接触片３２が、非接触部としての突起部２３１に圧接する状態の仕切部材３の姿勢を起立姿勢としてもよい。
【００４９】
図５（ｃ）は、図５（ｂ）に示す姿勢から仕切部材３をさらに起立させ、接触片３２と突起部２３１が係合している。図５（ｃ）に示す仕切部材３の姿勢が起立姿勢の一例に相当し、本実施形態では、起立姿勢の仕切部材３は、角度α３が８０度程度まで起立した姿勢に調整されている。
【００５０】
図５（ｄ）は、仕切部材３を最も後方側に回動させた状態を示している。この状態では、回動規制孔２３２に挿通された規制片３３が、回動規制孔２３２を画定する後側縁部２３２２に当接することで回動が規制され、仕切部材３の角度α４は、９０度を超えて１０５度程度に調整されている。図４（ａ）に示すように、本実施形態では、第１仕切部材３ａの後方に阻止部２５が設けられているため、仕切部材３の角度が９０度を越えるまで回動させることはできないが、阻止部２５を省略し、あるいは第１仕切部材３ａを取り外し、他の仕切部材３が９０度を超えて回動するようにして使用することで、図５（ｄ）に示す仕切部材３の姿勢を起立姿勢に採用してもよい。なお、図５（ｄ）に示すように、仕切部材３を９０度を超える姿勢まで回動させれば、接触片３２と突起部２３１との係合や圧接等がなくてもその姿勢が維持される場合がある。しかしながら、収納区域に収納された紙幣に押されたり、あるいは引出し２のちょっとした動きによって仕切部材３が前側に倒れてしまう場合が多いため、仕切部材３を片手で支えることなく紙幣を出し入れするためには、仕切部材３の姿勢を維持する手段が必要になる。
【００５１】
次いで、阻止部２５を備えていない態様と阻止部２５を備えた態様とを対比して阻止部２５の作用を説明する。図６は、阻止部２５を備えていないドロワ装置１の内部構造を示す図であり、図７は、阻止部２５を備えたドロワ装置１の内部構造を示す図である。図６および図７では、紙幣収納部４１に収納された紙幣を破線で示し、さらに、第１収納区域４１ａにおいて最も上（最も後側）に重ねられた紙幣を太い破線で示して区別している。
【００５２】
収納区域に想定枚数以上の紙幣を収納したり、シワになった状態の紙幣が重なると、第１仕切部材３ａのガイド部３１３等が引出し２の上端部よりも上方に突出し、また、特に第１収納区域４１ａに収納された紙幣が引出し２の上端部よりも上方に飛び出てしまう場合がある。この状態で引出し２を引出し位置から筐体９内に押し込むと、図６（ａ）に示すように、第１収納区域４１ａに収納された紙幣が、筐体９の天板９２における上縁９２ａと第１仕切部材３ａとの間に挟まれてしまう。
【００５３】
図６（ｂ）に示すように、引出し２をさらに筐体９内に押し込んでいくと、仕切部材３は天板９２の上縁９２ａに抑え込まれて前方に傾斜し、次いで天板９２の下面を構成する天面部９２２に仕切部材３のガイド部３１３を摺動させながら引出し２が後方に移動する。天板９２の上縁９２ａと第１仕切部材３ａとの間に挟まれた紙幣は、今度は天面部９２２と第１仕切部材３ａのガイド部３１３との間に挟まれる。この状態で引出し２を筐体９内に押し込んでいくと、紙幣は挟まれた部分が前方に引っ張られ、図６（ｂ）の矢印で示すように、第１収納区域４１ａにおいて最も上に重ねられた紙幣がめくれ上がってしまう場合がある。なお、めくれ上がる紙幣は一枚に限らず、第１収納区域４１ａに収納された複数枚の紙幣が同時にめくれ上がる場合もある。
【００５４】
さらに、図６（ｃ）に示すように、引出し２を収容位置まで押し込むと、めくれ上がった紙幣は天面部９２２に沿った姿勢に維持されてしまう。
【００５５】
次いで、図６（ｄ）および同図（ｅ）に示すように、引出し２を引き出すと、天面部９２２に沿った姿勢の紙幣は、第１収納区域４１ａに戻らず、天面部９２２と引出し２の後壁２２との隙間から引出し２の後方に落下してしまう場合がある。
【００５６】
図７に示す、阻止部２５を備えたドロワ装置１であっても、第１収納区域４１ａに収納された紙幣が引出し２の上端部よりも上方に飛び出ている状態で引出し２を筐体９内に押し込むと、図７（ａ）に示すように、第１収納区域４１ａに収納された紙幣が、天板９２の上縁９２ａと第１仕切部材３ａとの間に挟まれる。
【００５７】
この状態で、引出し２をさらに筐体９内に押し込んでいくと、図６に示すドロワ装置１と同様に、第１収納区域４１ａにおいて最も上に重ねられた紙幣がめくれ上がろうとするが、図７（ｂ）に示すように、めくれ上がろうとする紙幣の下縁が阻止部２５の傾斜壁２５１に干渉して、紙幣のめくれ上がりが阻止される。このため、図７（ｃ）に示すように、引出し２を収容位置まで押し込んでも紙幣がめくれ上がることがなくなり、この結果、紙幣が引出し２の外に落下してしまう不具合を防ぐことができる。
【００５８】
この阻止部２５は、第１収納区域４１ａに収納された紙幣の下縁が持ち上がるようにめくれ上がった場合の下縁の軌跡上に位置するものである。ここで、第１仕切部材３ａに複数枚の紙幣が重ねられて収納された場合には、第１仕切部材３ａに重ねた一枚目の紙幣がめくれ上がった場合の下縁の軌跡上に阻止部２５を位置させるものとする。
【００５９】
前述したように、シワになった状態の紙幣を重ねて収納する等により仕切部材３が引出し２の上端部よりも上方に突出した状態では、引出し２を筐体９内に押し込むと仕切部材３のガイド部３１３が天面部９２２を摺動する。ここで、天面部９２２の高さ位置を高く設定すれば、仕切部材３のガイド部３１３が天面部９２２に接触しにくくなるが、少なくとも、仕切部材３が起立姿勢の状態で引出し２を出し入れすると仕切部材３のガイド部３１３が天面部９２２を摺動することになる。
【００６０】
図８は、図２に示すドロワ装置１のＢ−Ｂ断面図である。この図８では、図の右側に、引出し位置にある引出し２の、前壁２１と、一対の側壁２３と、仕切部材３の折曲縁部３１２およびガイド部３１３を示している。また、図８の左側には、天板９２の天面部９２２と外装部９２１を示し、引出し２を出し入れすると仕切部材３のガイド部３１３が摺動する摺動領域Ｆをクロスハッチングで示している。この摺動領域Ｆは、引出し２が出し入れされる前端開口９ａよりも後側において前後方向に延在した領域である。
【００６１】
図８に示すように、天面部９２２は、筐体９内を区画する壁部やＬＥＤ基板を装着するための切欠孔９２２１等が設けられているが、摺動領域Ｆは、平坦な領域であり、これにより、引出し２を出し入れする際に仕切部材３のガイド部３１３を円滑に摺動させることができる。なお、本実施形態では、摺動領域Ｆを、その周囲の領域に対しても平坦に形成しているが、摺動領域Ｆの形状をガイド部３１３が入り込むレール状に形成してもよい。さらに、本実施形態では、図３（ａ）を用いて前述したように、ガイド部３１３が左右方向に見て円弧状の曲面で形成されているため、ガイド部３１３と摺動領域Ｆとの摺動負荷が軽減され、よりスムーズに引出し２を出し入れすることができる。
【００６２】
また、本実施形態の摺動領域Ｆは、前端開口９ａから後側に間隔をあけて後方に向かって延在したものである。図２では、前端開口９ａを画定する外装部９２１の前端部分と、天面部９２２の前端部分とを円で囲んで拡大して示している。外装部９２１は、前端開口画定部材の一例に相当し、天面部９２２は、天面形成部材の一例に相当する。図２において円で囲んで示すように、摺動領域Ｆと前端開口９ａとは前後方向に間隔があけられている。ここで、仕切部材３のガイド部３１３が前端開口９ａの上端部分より上方に位置している状態で引出し２を筐体９内に押し込むと、仕切部材３は、上縁９２ａや天面部９２２等に押されて前側に倒れる。このため、ガイド部３１３が接触する領域において後方に向かう途中に下方に突出する段差を有していても、仕切部材３は、この段差に追従して前側に倒れるため引出し２を筐体９に収容することができる。しかしながら、ガイド部３１３が接触する領域において前方に向かう途中に下方に突出する段差を有する場合には、引出し２を引き出していくと、この段差にガイド部３１３が引っ掛かり、引出し２を引き出すことができなくなってしまう場合がある。本実施形態では、外装部９２１の上縁９２ａの折返部９２１１と、天面部９２２との間に継ぎ目Ｃが存在し、天面部９２２の前端部分は、折返部９２１１の後端部分よりも下方に配置されている。これにより、引出し２を引き出す際に、折返部９２１１に仕切部材３が引っ掛かってしまう虞を回避することができる。折返部９２１１は、手前側部材の一例に相当し、天面部９２２は、奥側部材の一例に相当する。このように、手前側部材と奥側部材は、部材全体に相当するものであってもよいし、部材の一部であってもよい。なお、天面部９２２の前端部分と、折返部９２１１の後端部分とを同じ高さに設定すると、組立誤差等によって折返部９２１１の後端部分が天面部９２２の前端部分よりも下方に突出してしまう場合があり好ましくない。また、継ぎ目Ｃは、間隔が、ガイド部３１３の厚みより狭いものであり、これにより、引出し２を出し入れする際にガイド部３１３が継ぎ目Ｃの間隔へ挟まってしまう虞を回避することができる。
【００６３】
図９は、図３（ａ）に示す仕切部材３の変形例を示す斜視図である。この変形例の仕切部材３’は、主として接触片３２の構成が、図３（ａ）に示す仕切部材３と相違する。
【００６４】
図９に示すように、変形例の仕切部材３’の接触片３２は、圧接面３２１を有する上端側部分が仕切部材本体３１と一体に形成されている。このため、変形例の仕切部材３’の接触片３２は、側壁２３に設けられた突起部２３１（図２等参照）に圧接すると撓むスナップフィット構造を有していない。この結果、仕切部材３’の接触片３２が突起部２３１に圧接すると、側壁２３が外側に僅かに膨らむように変形する場合もある。
【００６５】
本発明は前述の実施の形態に限られることなく特許請求の範囲に記載した範囲で種々の変更を行うことができる。例えば、上記実施形態では、引出し２の一対の側壁２３それぞれに突起部２３１を設け、この突起部２３１に係合する接触片３２を仕切部材３の両端部分それぞれに設けているが、一方の側壁２３に突起部２３１を設け、この突起部２３１に係合する接触片３２を仕切部材３の一端部分に設ける構成としてもよい。さらに、上記実施形態では、接触片３２が圧接面３２１を有し、接触片３２が突起部２３１に圧接した後、接触片３２と突起部２３１が係合する態様であるが、接触片３２と突起部２３１のうちいずれか一方を突没自在に構成し、この一方側を没した状態で仕切部材３を回動させることで、接触片３２と突起部２３１とを圧接させることなく係合させる態様を採用してもよい。
【符号の説明】
【００６６】
１    ドロワ装置
２    引出し
２０    周壁
２３    側壁
２３１    突起部
３    仕切部材
３１３    ガイド部
３２    接触片
３２１    圧接面
４    収納空間
４１    紙幣収納部
４１ａ，４１ｂ，４１ｃ，４１ｄ    収納区域
９    筐体
９ａ    前端開口
Ｆ    摺動領域
【図１】
2016224682.tif 000003
【図２】
2016224682.tif 000004
【図３】
2016224682.tif 000005
【図４】
2016224682.tif 000006
【図５】
2016224682.tif 000007
【図６】
2016224682.tif 000008
【図７】
2016224682.tif 000009
【図８】
2016224682.tif 000010
【図９】
2016224682.tif 000011